(57)【要約】【課題】端子と出力側接続部とのボルト締結作業を容易にすることができるヒューズユニットを提供する。【解決手段】ヒューズユニット１は、曲げ部３６と突出部４０を有する端子７が接続される出力側接続部５を備える。ヒューズユニット１は、端子７の挿入及び収容が可能な収容空間１７を第一側壁１３、第二側壁１４及び第三側壁１５にて取り囲むようにしてなる端子収容部１１を備える。端子収容部１１は、第一側壁１３及び第二側壁１４のそれぞれの内面に端子挿入開始側移動規制壁２１を設けるとともに端子挿入開始側移動規制壁２１と第三側壁１５の内面との間を端子７の突出部４０が嵌合可能に形成される端子移動規制溝２７として形成する。さらに、端子収容部１１は、端子７が出力側接続部５から離脱すると端子７の曲げ部３６が係止可能に形成される高さ方向及び端子挿入開始側移動規制壁１６を設けてなる。【選択図】図２
2018097947.tif 000002
【特許請求の範囲】
【請求項１】
バッテリー端子に接続される電源側接続部と、導電路の端末に設けられた端子が接続される出力側接続部と、前記電源側接続部と前記出力側接続部とを電気的に接続する可溶体と、を備えるバスバーと、
前記バスバーのうち前記可溶体の外面を被覆してなるとともに前記電源側接続部及び前記出力側接続部を露出するように形成されるハウジングと、
を備えるヒューズユニットにおいて、
前記出力側接続部に接続される前記端子は、
前記端子を側面視略Ｌ字状に曲げて形成される曲げ部と、前記端子の先端部の両側から突出して形成される突出部と、を設けてなり、
前記ハウジングは、
内部に前記出力側接続部の収容が可能であるとともに前記端子の挿入及び収容が可能な収容空間を有し該収容空間が前記出力側接続部の前記端子の挿入方向両側及び前記端子の挿入方向奥側に立設された側壁に取り囲まれるようにしてなる端子収容部を設けてなり、
前記端子収容部は、
前記出力側接続部の前記端子の挿入方向両側に立設された前記側壁のそれぞれの内面に、前記端子が前記収容空間に収容された状態において前記端子の前記突出部が係止可能に形成され前記端子が該端子の挿入開始側へ移動するのを規制する端子挿入開始側移動規制壁を設けてなるとともに、該端子挿入開始側移動規制壁と、前記出力側接続部の前記端子の挿入方向奥側に立設された前記側壁の内面との間を、前記端子が前記収容空間に収容された状態において前記端子の前記突出部が嵌合可能に形成され前記端子が該端子の挿入開始側及び前記端子の挿入方向へ移動するのを規制する端子移動規制溝として形成し、
さらに、前記端子収容部は、
前記端子の挿入開始側にて前記出力側接続部の前記端子の挿入方向両側に立設された前記側壁同士を繋ぐように形成され且つ前記端子が前記出力側接続部から離脱すると前記端子の前記曲げ部が係止可能に形成され前記端子が前記側壁の高さ方向及び前記端子の挿入開始側へ移動するのを規制する高さ方向及び端子挿入開始側移動規制壁を設けてなる
ことを特徴とするヒューズユニット。
【請求項２】
請求項１に記載のヒューズユニットにおいて、
前記出力側接続部の前記端子の挿入方向両側に立設された前記側壁同士の間の幅は、前記端子の前記先端部の、前記端子の延在方向に直交する方向の幅と略同等に形成される
ことを特徴とするヒューズユニット。
【請求項３】
請求項１又は２に記載のヒューズユニットにおいて、
前記端子挿入開始側移動規制壁と、前記高さ方向及び端子挿入開始側移動規制壁には、それぞれ、前記収容空間への前記端子の挿入を案内する端子挿入ガイドを設けてなり、
前記端子挿入開始側移動規制壁の前記端子挿入ガイドは、前記端子挿入開始側移動規制壁の上面における前記端子の挿入開始側の端部に、断面が曲面形状又は斜面形状に形成され、
前記高さ方向及び端子挿入開始側移動規制壁の前記端子挿入ガイドは、前記高さ方向及び端子挿入開始側移動規制壁の前記内面における前記端子の挿入開始側の端部に、断面が曲面形状又は斜面形状に形成される
ことを特徴とするヒューズユニット。
【発明の詳細な説明】
【技術分野】
【０００１】
本発明は、ヒューズユニットに関し、特に、自動車等のバッテリー端子の近傍に設置されて使用されるヒューズユニットに関する。
【背景技術】
【０００２】
従来、自動車等のバッテリー端子の近傍に設置されて使用されるヒューズユニットの技術として、例えば、特許文献１に開示された技術が知られている。
【０００３】
特許文献１の図１及び図２に図示されるヒューズユニット１は、バッテリー端子１１０と接続され過電流が流れたときに可溶体２１ｃが溶断するものであって可溶体２１ｃが設けられたヒューズエレメント２１を含んで構成されるヒュージブルリンク２と、ヒュージブルリンク２をポスト立設面１０５に保持する保持部３２を有する保持機構（プロテクタ）３とを備えて構成されている。
【０００４】
特許文献１の図１に図示するように、ヒューズエレメント２１は、連結バスバー５を介してバッテリー端子１１０に接続される電源側端子２１ａと、導電路（電線）の端末に設けられた負荷端子１０８に接続される負荷側端子２１ｂと、電源側端子２１ａと各負荷側端子２１ｂとに渡して設けられた可溶体２１ｃとが平板状に一体形成されている。
【０００５】
特許文献１の図２に図示するように、保持部３２には、ヒューズエレメント２１に電気的に接続される複数本のスタッドボルト３２ｃが埋設されている。電源側端子２１ａに接続されるスタッドボルト３２ｃは、この軸部が電源側端子２１ａ及び連結バスバー５に貫通形成されたボルト取付孔に挿入されナットによって締結されている。負荷側端子２１ｂに接続されるスタッドボルト３２ｃは、この軸部が負荷側端子２１及び負荷端子１０８に貫通形成されたボルト取付孔に挿入されナットによって締結されている。
【先行技術文献】
【特許文献】
【０００６】
【特許文献１】特開２０１６−１３１０９５号公報
【発明の概要】
【発明が解決しようとする課題】
【０００７】
近年、自動車のバッテリー周辺構造の複雑化により、ヒューズユニットの近傍には様々な部品が取り付けられている。このことから、周辺スペースへの制約を避けるため、従来技術において、ヒューズユニットの接続部にスタッドボルトを設けず、導電路の端末に設けられた端子を接続部の所定の位置に配置した後、ボルトで締結することにより端子と接続部との接続が行われている。
【０００８】
ところで、近年、自動車の電装回路の増加により、従来技術におけるヒューズユニットの接続部に接続される導電路の径が太くなる傾向にある。このような径の太い導電路は、この導電路を直線状の状態から屈曲させたとき、導電路を屈曲させる前の直線状の形状に復帰しようとする力（以下、「反力」という）が生じる。このように反力が生じる導電路の端末に設けられた端子とヒューズユニットの接続部とをボルト締結により接続する作業を行う場合、以下のような問題点があった。
【０００９】
端子とヒューズユニットの接続部とを接続する作業を行う作業者は、端末に端子が設けられた導電路を直線状の状態から屈曲させて端子を上記スタッドボルトを設けていない接続部の所定の位置に配置する。そして、端子のボルト取付孔にボルトを挿通しボルト締結を行おうとするときに作業者が導電路の屈曲状態を保持する手を離すと、導電路に生じた上記反力により、導電路を屈曲させる前の直線状の形状に復帰しようとする。このとき、端子が、導電路の屈曲前の形状への復帰に追従して接続部から離脱する方向に移動してしまうというような問題点があった。このため、端子が接続部から脱落してしまい、端子とヒューズユニットの接続部とのボルト締結作業における作業性が低下してしまうという問題点があった。
【００１０】
また、導電路に上記反力が生じない場合であっても、スタッドボルトを設けないヒューズユニットの接続部に端子を配置したとき、ボルト締結前に、外部からの衝撃や振動等が加わることによって、端子が接続部から脱落してしまうというような虞があるという問題点があった。したがって、このような問題点からも、端子とヒューズユニットの接続部とのボルト締結作業における作業性が低下してしまうという問題点があった。
【００１１】
本発明は、上記した事情に鑑みてなされたもので、端子と出力側接続部とのボルト締結作業を容易にすることができるヒューズユニットを提供することを課題とする。
【課題を解決するための手段】
【００１２】
上記課題を解決するためになされた請求項１記載の本発明のヒューズユニットは、バッテリー端子に接続される電源側接続部と、導電路の端末に設けられた端子が接続される出力側接続部と、前記電源側接続部と前記出力側接続部とを電気的に接続する可溶体と、を備えるバスバーと、前記バスバーのうち前記可溶体の外面を被覆してなるとともに前記電源側接続部及び前記出力側接続部を露出するように形成されるハウジングと、を備えるヒューズユニットにおいて、前記出力側接続部に接続される前記端子は、前記端子を側面視略Ｌ字状に曲げて形成される曲げ部と、前記端子の先端部の両側から突出して形成される突出部と、を設けてなり、前記ハウジングは、内部に前記出力側接続部の収容が可能であるとともに前記端子の挿入及び収容が可能な収容空間を有し該収容空間が前記出力側接続部の前記端子の挿入方向両側及び前記端子の挿入方向奥側に立設された側壁に取り囲まれるようにしてなる端子収容部を設けてなり、前記端子収容部は、前記出力側接続部の前記端子の挿入方向両側に立設された前記側壁のそれぞれの内面に、前記端子が前記収容空間に収容された状態において前記端子の前記突出部が係止可能に形成され前記端子が該端子の挿入開始側へ移動するのを規制する端子挿入開始側移動規制壁を設けてなるとともに、該端子挿入開始側移動規制壁と、前記出力側接続部の前記端子の挿入方向奥側に立設された前記側壁の内面との間を、前記端子が前記収容空間に収容された状態において前記端子の前記突出部が嵌合可能に形成され前記端子が該端子の挿入開始側及び前記端子の挿入方向へ移動するのを規制する端子移動規制溝として形成し、さらに、前記端子収容部は、前記端子の挿入開始側にて前記出力側接続部の前記端子の挿入方向両側に立設された前記側壁同士を繋ぐように形成され且つ前記端子が前記出力側接続部から離脱すると前記端子の前記曲げ部が係止可能に形成され前記端子が前記側壁の高さ方向及び前記端子の挿入開始側へ移動するのを規制する高さ方向及び端子挿入開始側移動規制壁を設けてなることを特徴とする。
【００１３】
このような特徴を有する本発明によれば、端子収容部に端子を挿入し収容すると、端子の突出部は、端子移動規制溝に嵌合する。端子移動規制溝に嵌合された端子の突出部は、端子挿入開始側移動規制壁と、出力側接続部の端子の挿入方向両側に立設された側壁と、出力側接続部の端子の挿入方向奥側に立設された側壁に当接する。これにより、端子の挿入開始側、端子の挿入方向、及び、端子の挿入方向に直交する方向への移動が規制される。また、端子が出力側接続部から離脱すると高さ方向及び端子挿入開始側移動規制壁に端子の曲げ部が係止される。高さ方向及び端子挿入開始側移動規制壁に係止された端子は、側壁の高さ方向及び端子の挿入開始側への移動が規制される。
【００１４】
請求項２記載の本発明のヒューズユニットは、請求項１に記載のヒューズユニットにおいて、前記出力側接続部の前記端子の挿入方向両側に立設された前記側壁同士の間の幅は、前記端子の前記先端部の、前記端子の延在方向に直交する方向の幅と略同等に形成されることを特徴とする。
【００１５】
このような特徴を有する本発明によれば、出力側接続部の端子の挿入方向両側に立設された側壁は、端子の先端部の両側に隙間のないように配置される。
【００１６】
請求項３記載の本発明のヒューズユニットは、請求項１又は２に記載のヒューズユニットにおいて、前記端子挿入開始側移動規制壁と、前記高さ方向及び端子挿入開始側移動規制壁には、それぞれ、前記収容空間への前記端子の挿入を案内する端子挿入ガイドを設けてなり、前記端子挿入開始側移動規制壁の前記端子挿入ガイドは、前記端子挿入開始側移動規制壁の上面における前記端子の挿入開始側の端部に、断面が曲面形状又は斜面形状に形成され、前記高さ方向及び端子挿入開始側移動規制壁の前記端子挿入ガイドは、前記高さ方向及び端子挿入開始側移動規制壁の前記内面における前記端子の挿入開始側の端部に、断面が曲面形状又は斜面形状に形成されることを特徴とする。
【００１７】
このような特徴を有する本発明によれば、端子挿入開始側移動規制壁と高さ方向及び端子挿入開始側移動規制壁のそれぞれの端子挿入開始側の端部に端子挿入ガイドが設けられているため、端子は各端子挿入ガイドに案内されて端子収容部への挿入を開始する。
【発明の効果】
【００１８】
請求項１に記載された本発明によれば、端子と出力側接続部とをボルト締結する前に、導電路に生じた反力により導電路が屈曲前の形状に復帰しようとして端子が出力側接続部から側壁の高さ方向へ離脱しても、高さ方向及び端子挿入開始側移動規制壁に曲げ部が係止された端子は、側壁の高さ方向及び端子の挿入開始側への端子の移動が規制されるため、出力側接続部からの端子の脱落を防止することができる。したがって、導電路に反力が生じているときの端子と出力側接続部とのボルト締結作業を容易にすることができるという効果を奏する。
【００１９】
また、請求項１に記載された本発明によれば、導電路に反力が生じていない状態であって、端子と出力側接続部とをボルト締結する前に、外部からの衝撃や振動等が加わった場合であっても、端子の挿入開始側、端子の挿入方向及び端子の挿入方向に直交する方向への端子の移動が規制されるため、出力側接続部からの端子の脱落を防止することができる。したがって、導電路に反力が生じていない状態であって、端子と出力側接続部とをボルト締結する前に、外部からの衝撃や振動等が加わった場合であっても、端子とヒューズユニットの出力側接続部とのボルト締結作業を容易にすることができるという効果を奏する。
【００２０】
請求項２に記載された本発明によれば、請求項１の効果に加え、つぎのような効果も奏する。すなわち、出力側接続部の端子の挿入方向両側に立設された側壁は、端子の先端部の両側に隙間のないように配置されるため、本発明に係るヒューズユニットにおける端子収容部は、例えば、上記側壁を端子の先端部の両側に隙間が生じるように配置した端子収容部と比較して、上記側壁同士の間の幅を小さくすることができる。したがって、ヒューズユニット全体をコンパクトに形成することができるという効果を奏する。
【００２１】
請求項３に記載された本発明によれば、請求項１又は２の効果に加え、つぎのような効果も奏する。すなわち、端子は各端子挿入ガイドに案内されて端子収容部への挿入を開始するため、端子収容部への端子の挿入をスムーズに行うことができる。したがって、端子と出力側接続部との接続作業を、さらに容易にすることができるという効果を奏する。
【図面の簡単な説明】
【００２２】
【図１】本発明に係るヒューズユニット及びこのヒューズユニットが適用されるバッテリーを示す斜視図である。
【図２】本発明に係るヒューズユニットを示す拡大斜視図である。
【図３】ヒューズユニットにおける端子収容部を示す平面図及び正面図である。
【図４】ヒューズユニットにおける端子収容部を示す断面図である。
【図５】端子と出力側接続部との接続作業を示す図である。
【図６】図５に続く図である。
【図７】図６に続く図である。
【図８】本発明の作用を説明する図である。
【発明を実施するための形態】
【００２３】
以下、図１−図８を参照しながら、本発明に係るヒューズユニットの実施例について説明する。
【実施例】
【００２４】
図１は本発明に係るヒューズユニット及びこのヒューズユニットが適用されるバッテリーを示す斜視図、図２は図１に図示するヒューズユニットの拡大斜視図、図３はヒューズユニットにおける端子収容部を示す図であり、（ａ）は平面図、（ｂ）は端子の挿入方向から視た正面図、図４は図３に図示する端子収容部のＣ−Ｃ間の断面図、図５は端子と出力側接続部との接続作業を示す図であって、端子収容部への端子挿入開始前の状態を示す断面図、図６は図５に続く図であって、端子収容部への端子挿入開始直後の状態を示す断面図、図７は図６に続く図であって、端子収容部に端子が収容された状態を示す断面図、図８は本発明の作用を説明する図であって、端子が出力側接続部から離脱したときに高さ方向及び端子挿入開始側移動規制部に端子の曲げ部が係止した状態を示す断面図である。
なお、図中の矢印は、上下、左右、前後の各方向を示している（矢印の各方向は一例であるものとする）。
【００２５】
図１において、引用符号１は、本発明に係るヒューズユニットを示している。ヒューズユニット１は、自動車等に搭載されるバッテリー１００に接続されるバッテリー端子１１０に適用され、過電流が流れたときに、可溶体が溶断して電装回路を遮断するものである。以下、まず、本発明に係るヒューズユニット１が適用されるバッテリー１００及びバッテリー端子１１０について説明し、つぎに、本発明に係るヒューズユニット１に接続される端子７及びこの端子７を端末に設ける導電路６について説明し、さらに、本発明に係るヒューズユニット１について説明する。
【００２６】
まず、バッテリー１００について説明する。
図１に図示するバッテリー１００は、バッテリー筐体１０１と、バッテリー筐体１０１に設けられたバッテリーポスト１０２とを備えて構成されている。バッテリー筐体１０１は、上面が開口形成された箱状の筐体本体１０３と、開口形成された上面を閉塞させる蓋部材１０４とを備えて構成されている。バッテリーポスト１０２は、導電性を有する鉛等により構成され、蓋部材１０４のポスト立設面１０５に立設される。バッテリーポスト１０２は、略円柱形状であり、この中心軸線がポスト立設面１０５と直交するようにポスト立設面１０５から突出するように立設されている。
【００２７】
つぎに、バッテリー端子１１０について説明する。
図１及び図２に図示するバッテリー端子１１０は、バッテリー端子本体１１１と、締付手段１１２とを備えて構成されている。バッテリー端子本体１１１は、導電性の金属板をプレス加工することにより形成され、環状部１１３と、一対の締付部と、電気接続部とを備えて構成されている。環状部１１３は、所定の間隔をあけて対向して配置されバッテリー端子本体１１１の外側に湾曲するように形成された一対の湾曲部１１４からなる。一対の湾曲部１１４は、略円筒状に形成され、この内側はバッテリーポスト１０２の周側面に面接触するバッテリーポスト挿入孔１１５として形成されている。一対の締付部は、特に図示しないが、環状部１１３の先端に連続して形成され所定の間隔をあけて対向して配置され、互いに近づく方向に移動させるとバッテリーポスト挿入孔１１５の径を縮径させるように形成されている。電気接続部は、特に図示しないが、環状部１１３の後端に連続して形成されこの上面には、本発明に係るヒューズユニット１の電源側接続部４に電気的に接続されるスタッドボルト１１６が立設されている。締付手段１１２は、一対の締付部を互いに近づける方向に移動させて、バッテリーポスト挿入孔１１５の径を縮径させるために設けられている。
【００２８】
つぎに、導電路６について説明する。
図２に図示する導電路６は、端子７を介してヒューズユニット１に電気的に接続されるものであって、本実施例では、導体３１と、導体３１上に被覆される絶縁被覆３２と、絶縁被覆３２上に被覆されるシース３３を備えて構成されるケーブルを用いるものとする。本実施例における導電路６は、径が太いケーブルであるものとする。本実施例では、導電路６として径の太いケーブルを用いるものとするが、径の太い電線を用いてもよいものとする。
【００２９】
本実施例における導電路６は、径が太いため、図２に図示するように、この導電路６を直線状の状態（図２において仮想線で図示する導電路６参照）から屈曲させたとき（図２において実線で図示する導電路６参照）、例えば、図２に図示する矢印Ａの指示する方向に向かって導電路６を屈曲させる前の直線状の形状に復帰しようとする力（以下、「反力」という）が生じる。
【００３０】
つぎに、端子７について説明する。
図２に図示するように、端子７は、導体圧着部３４と、略中間突出部３５と、曲げ部３６と、電気接続部３７とを備えて構成されている。導体圧着部３４は、導電路６と端子７とが電気的に接続される部分として設けられ、特に図示しないが、導体圧着部３４に設けられた一対の導体加締め片によって導体３１を加締めることにより形成されている。
【００３１】
図２に図示するように、略中間突出部３５は、端子７の延在方向の略中間部に設けられるものであって、略中間部の両側から左右方向（端子７の延在方向に直交する方向）に突出して形成されている。
【００３２】
図２に図示するように、曲げ部３６は、端子７の延在方向の略中間部に設けられるものであって、端子７を側面視略Ｌ字状に曲げて形成されている。曲げ部３６は、端子７の下面３８側となる面の断面が曲面形状に形成されている。
【００３３】
電気接続部３７は、端子７の先端側に設けられるものであって、ヒューズユニット１の後述する出力側接続部５と電気的に接続される部分として形成されている。図２に図示する電気接続部３７の側部のうち、左側を左側部３７ａとし、右側を右側部３７ｂとする。電気接続部３７には、ボルト挿通孔３９と、先端突出部４０とが設けられている。
【００３４】
ボルト挿通孔３９は、電気接続部３７と出力側接続部５とを締結するボルト８（図７参照）が挿通可能に貫通形成されている。
【００３５】
先端突出部４０は、電気接続部３７の先端部４１（端子７の先端部）の両側から左右方向（端子７の延在方向に直交する方向）に突出して形成されている。先端突出部４０は、特許請求の範囲における、「突出部」に相当するものである。図２に図示する先端突出部４０の側部のうち、左側を左側部４０ａとし、右側を右側部４０ｂとする。先端突出部４０は、後述する端子挿入開始側移動規制壁２１に係止可能に形成されている。具体的には、図２に図示する先端突出部４０の後側の端面は、後述する端子挿入開始側移動規制壁２１の係止面２９に係止する係止部４２として形成されている。先端突出部４０は、後述する端子移動規制溝２７に嵌合可能な形状に形成されている。先端突出部４０は、端子７の延在方向に直交する方向の幅が、略中間突出部３５の上記端子７の延在方向に直交する方向の幅と略同等に形成されている。
【００３６】
つぎに、本発明に係るヒューズユニット１について説明する。
図１及び図２に図示するヒューズユニット１は、導電性のバスバー２と、バスバー２の外面を被覆してなるとともにバスバー２の一部を露出するように形成されてなるハウジング３とを備えて構成されている。以下、ヒューズユニット１の上記各構成について説明する。
【００３７】
まず、バスバー２について説明する。
図２に図示するように、バスバー２は、バッテリー端子１１０に接続される電源側接続部４と、導電路６の端末に設けられた端子７が接続される出力側接続部５と、電源側接続部４と出力側接続部５とを電気的に接続する可溶体（図示せず）とを備えて構成されている。
【００３８】
図２に図示する電源側接続部４は、バスバー２のうちハウジング３から露出するように形成される部分であって、バッテリー端子１１０の電気接続部が接続される部分として形成されている。電源側接続部４には、特に図示しないが、バッテリー端子１１０の電気接続部に立設されたスタッドボルト１１６が挿通可能に貫通形成されたボルト挿通孔が設けられている。
【００３９】
図２に図示する出力側接続部５は、バスバー２のうちハウジング３から露出するように形成される部分であって、導電路６の端末に設けられた端子７が接続される部分として形成されている。出力側接続部５には、この出力側接続部５と端子７とを締結するボルト８（図７参照）が挿通可能に貫通形成されたボルト挿通孔９が設けられている。出力側接続部５は、この上面がハウジング３から露出され、下面がハウジング２（図４に図示する端子収容部１１の底壁１２）に被覆されている。
【００４０】
可溶体は、特に図示しないが、過電流が流れたときに溶断し電装回路を遮断する所謂ヒューズである。
【００４１】
つぎに、ハウジング３について説明する。
図２に図示するように、ハウジング３は、可溶体を含むバスバー２の外面をインサート成形によって被覆してなるとともに、電源側接続部４と、出力側接続部５の上面とを露出するように形成されている。ハウジング３は、ヒューズ部１０と、ヒューズ部１０に隣接する端子収容部１１とを備えて構成されている。
【００４２】
図２に図示するように、ヒューズ部１０は、可溶体の外面を透明な絶縁性の樹脂材料にて形成されたカバーが嵌められることにより構成されている。
【００４３】
図２に図示するように、端子収容部１１は、上側の面及び後側の面が開放された略矩形箱状に形成されるとともに、ハウジング３から露出する出力側接続部５を取り囲むように形成されている。端子収容部１１は、底壁１２（図４参照）と、第一側壁１３及び第二側壁１４と、第三側壁１５と、高さ方向及び端子挿入開始方向移動規制壁１６と、収容空間１７とを備えて構成されている。
【００４４】
図４に図示する底壁１２は、出力側接続部５の下面を被覆する部分として設けられている。底壁１２の下側には、ナット埋設部１８が設けられている。図４に図示するように、底壁１２及びナット埋設部１８には、ボルト８と螺合可能なナット１９がインサート成形により埋設されている。ナット１９は、出力側接続部５に設けられたボルト挿通孔９の中心軸方向の真下に配置されている。
【００４５】
図２及び図３に図示する第一側壁１３及び第二側壁１４は、底壁１２に連続して形成され、左右方向（端子７の挿入方向（図２に図示する矢印Ｂの指示する方向）に直交する方向）に出力側接続部５を挟んで相対向して配置されるように立設されている。第一側壁１３及び第二側壁１４は、特許請求の範囲における、「出力側接続部の端子の挿入方向両側に立設された側壁」に相当するものである。
【００４６】
図３に図示する第一側壁１３の内面２０ａと第二側壁１４の内面２０ｂとの間の幅は、図２に図示する端子７の先端突出部４０及び略中間突出部３５の、端子７の延在方向（端子７の挿入方向（図２に図示する矢印Ｂの指示する方向））に直交する方向の幅と略同等に形成されている。上記の通り設定された第一側壁１３の内面２０ａと第二側壁１４の内面２０ｂとの間の幅は、端子７が端子収容部１１内（収容空間１７）に挿入された状態において端子７の先端突出部４０と略中間突出部３５とが第一側壁１３の内面２０ａ及び第二側壁１４の内面２０ｂに当接するような寸法、または、多少の隙間（クリアランス）が存在する寸法となっている。
【００４７】
図２及び図３に図示するように、第一側壁１３の内面２０ａ及び第二側壁１４の内面２０ｂの前後方向（端子７の挿入方向（図２に図示する矢印Ｂの指示する方向））の略中間部には、それぞれ、端子挿入開始側移動規制壁２１が設けられている。端子挿入開始側移動規制壁２１は、端子７が収容空間１７に収容された状態において端子７が係止可能に形成され端子７がこの端子７の挿入開始側（図２における後側）へ移動するのを規制する部分として設けられている。ここで、上記「端子７が収容空間１７に収容された状態」とは、収容空間１７に挿入された端子７の電気接続部３７が出力側接続部５の上面に載置された状態（図７参照）をいうものとする。
【００４８】
図３及び図４に図示するように、端子挿入開始側移動規制壁２１は、端子７の挿入方向（図３（ａ）及び図４における後側）の端面が係止面２９として形成されている。係止面２９は、図２に図示する端子７の先端突出部４０に形成された係止部４２が係止可能な部分として設けられている。
【００４９】
図３及び図４に図示するように、端子挿入開始側移動規制壁２１は、この上面４４の端子７の挿入開始側（図３（ａ）及び図４における後側）の端部に端子挿入ガイド２２が設けられている。端子挿入ガイド２２は、収容空間１７への端子７の挿入を案内する部分として設けられている。端子挿入ガイド２２は、本実施例では、図４に図示するように、断面が上に凸な曲線状となるような曲面形状に形成されているが、この形状に限定されるものではない。その他、例えば、端子７の挿入方向に沿って上方に傾斜するテーパー状に形成されるものであってもよいものとする。
【００５０】
図２−図４に図示する第三側壁１５は、底壁１２に連続して形成され、出力側接続部５の前端側（端子７の挿入方向（図２に図示する矢印Ｂの指示する方向）奥側）に立設されている。第三側壁１５は、この左端が第一側壁１３に連続して形成されるとともに、右端が第二側壁１４に連続して形成されている。第三側壁１５は、特許請求の範囲における、「出力側接続部の端子の挿入方向奥側に立設された側壁」に相当するものである。
【００５１】
図２−図４に図示するように、高さ方向及び端子挿入開始側移動規制壁１６は、第一側壁１３及び第二側壁１４の、それぞれの、端子７の挿入開始側（図２−図４における後側）の上縁部同士を繋ぐように形成されている。高さ方向及び端子挿入開始側移動規制壁１６は、端子７が出力側接続部５から上方向（第一側壁１３、第二側壁１４及び第三側壁１５の高さ方向）に離脱すると端子７が係止可能に形成され端子７が上方向及び端子７の挿入開始側へ移動するのを規制する部分として設けられている。
【００５２】
図４に図示するように、高さ方向及び端子挿入開始側移動規制壁１６は、この内面（下面）２３の左右方向（図４における紙面の表面から裏面に抜ける方向）の全長にわたって、高さ方向及び端子挿入開始側移動規制部２４と、端子挿入ガイド２５とが設けられている。
【００５３】
図４に図示する高さ方向及び端子挿入開始側移動規制部２４は、端子７が出力側接続部５から上方向（第一側壁１３、第二側壁１４及び第三側壁１５の高さ方向）に離脱すると端子７の曲げ部３６が係止可能に形成される部分として設けられている（図８参照）。高さ方向及び端子挿入開始側移動規制部２４は、図４に図示するように、高さ方向及び端子挿入開始側移動規制壁１６の前端から高さ方向及び端子挿入方向移動規制壁１６の略中間部にわたって断面が凹面形状であって、端子７の曲げ部３６が面接触可能な曲面形状に形成されている。
【００５４】
図４に図示する端子挿入ガイド２５は、高さ方向及び端子挿入方向移動規制壁１６の端子７の挿入開始側（図４における後側）の端部に設けられている。端子挿入ガイド２５は、収容空間１７への端子７の挿入を案内する部分として設けられている。端子挿入ガイド２５は、本実施例では、図４に図示するように、断面が下に凸な曲線状となるような曲面形状に形成されているが、この形状に限定されるものではない。その他、例えば、端子７の挿入方向に沿って下方に傾斜するテーパー状に形成されるものであってもよいものとする。
【００５５】
図２−図４に図示するように、収容空間１７は、端子収容部１１の内部空間であって、内部に出力側接続部５の収容が可能であるとともに端子７の挿入及び収容が可能な空間として形成されている。収容空間１７は、第一側壁１３と第二側壁１４の第三側壁１５とによって取り囲まれるようにしてなる。収容空間１７は、端子挿入口２６と、端子移動規制溝２７とを備えている。
【００５６】
図３及び図４に図示するように、端子挿入口２６は、端子７の挿入開始側（図４における後側）における端子収容部１１の開放された部分であって、収容空間１７に連通し端子７を収容空間１７に挿入する入口として形成されている。図４に図示するように、端子挿入口２６の上側には、高さ方向及び端子挿入開始側移動規制壁１６の端子挿入ガイド２５が配置され、端子挿入口２６の下側には、端子挿入開始側移動規制壁２１の端子挿入ガイド２２が配置されている。
【００５７】
図２−図４に図示するように、端子移動規制溝２７は、第一側壁１３の内面２０ａ及び第二側壁１４の内面２０ｂと、端子挿入開始側移動規制壁２１の係止面２９と、第三側壁１５の内面２８とに取り囲まれた空間（端子挿入開始側移動規制壁２１の係止面２９と、第三側壁１５の内面２８との間の空間）であって、端子７の挿入開始側（図２における後側）及び端子の挿入方向（図２に図示する矢印Ｂの指示する方向）への端子７の移動を規制する部分として設けられている。
【００５８】
端子移動規制溝２７は、端子７の電気接続部３７が収容空間１７に収容された状態において、端子７の先端突出部４０が嵌合可能に形成されている。具体的には、端子挿入開始側移動規制壁２１の係止面２９と、第三側壁１５の内面２８との間の幅は、先端突出部４０の、端子７の延在方向（端子７の挿入方向（図２に図示する矢印Ｂの指示する方向））の幅と略同等に形成されている。また、端子移動規制溝２７の奥行（図３（ａ）の左側に配置された端子移動規制溝２７においては、端子挿入開始側移動規制壁２１の内面３０ａの位置から第一側壁１３の内面２０ａまでの距離（図３（ａ）の右側に配置された端子移動規制溝２７においては、端子挿入開始側移動規制壁２１の内面３０ｂの位置から第二側壁１４の内面２０ｂまでの距離））は、端子７の電気接続部３７からの先端突出部４０の突出量（電気接続部３７の左側部３７ａ（右側部３７ｂ）から突出する長さ）と略同等に形成されている。上記の通り設定された端子移動規制溝２７は、端子７の先端突出部４０が嵌合した状態において、先端突出部４０が第一側壁１３の内面２０ａ及び第二側壁１４の内面２０ｂと、端子挿入開始側移動規制壁２１の係止面２９と、第三側壁１５の内面２８に当接するような寸法となっている。
【００５９】
なお、収容空間１７における、第一側壁１３に設けられた端子挿入開始側移動規制壁２１の内面３０ａと第二側壁１４に設けられた端子挿入開始側移動規制壁２１の内面３０ｂとの間の空間の左右方向（端子７の挿入方向（図２に図示する矢印Ｂの指示する方向）に直交する方向）の幅は、電気接続部３７における先端突出部４０が設けられていない部分の、端子７の延在方向（端子７の挿入方向（図２に図示する矢印Ｂの指示する方向））に直交する方向の幅と略同等に形成されている。上記の通り設定された収容空間１７は、端子７が収容空間１７に収容された状態において電気接続部３７の左側部３７ａが第一側壁１３に設けられた端子挿入方向移動規制壁２１の内面３０ａに当接し、電気接続部３７の右側壁３７ｂが第二側壁１４に設けられた端子挿入方向移動規制壁２１の内面３０ｂに当接するような寸法となっている。
【００６０】
つぎに、本発明に係るヒューズユニット１と導電路６の端末に設けられた端子７との接続作業の手順について説明する。
【００６１】
まず、図２及び図５に図示するように、導電路６の端末に圧着により接続した端子７を、この下面３８を上に向けた状態で端子７の挿入方向（図２及び図５に図示する矢印Ｂの指示する方向）に沿って移動させ、電気接続部３７側から端子収容部１１の端子挿入口２６に差し込み、端子収容部１１内への端子７の挿入を開始する。
【００６２】
ここで、図５に図示する端子７の電気接続部３７の高さ位置が端子挿入口２６よりも、若干、上方向にずれた状態で挿入を開始しようとしても、電気接続部３７の先端が高さ方向及び端子挿入開始側移動規制壁１６の端子挿入ガイド２５に摺接することにより、適正な電気接続部３７の高さ位置に案内され端子７の挿入を開始することができる。また、図５に図示する端子７の電気接続部３７の高さ位置が端子挿入口２６よりも、若干、下方向にずれた状態で挿入を開始しようとしても、電気接続部３７の先端が端子挿入開始側移動規制壁２１の端子挿入ガイド２２に摺接することにより、適正な電気接続部３７の高さ位置に案内され端子７の挿入を開始することができる。
【００６３】
端子７の挿入を開始した後、図６に図示するように、端子７の挿入方向（図６に図示する矢印Ｂの指示する方向）に沿って端子７の挿入を続けていく。端子７の先端突起部４０が端子挿入開始側移動規制壁２１の上面４４に到達した後は、先端突起部４０を端子挿入開始側移動規制壁２１の上面４４に摺接させて電気接続部３７の先端部４１が第三側壁１５の内面２８に当接するまで挿入する。
【００６４】
端子７（電気接続部３７）の先端が第三側壁１５の内面２８に当接すると、端子７の先端突起部４０が端子挿入開始側移動規制壁２１の上面４４の通過を終える。すなわち、先端突起部４０が端子移動規制溝２７の真上に位置するようになる。
【００６５】
そして、端子７を下方向に移動させると、図７に図示するように、先端突起部４０は、端子移動規制溝２７に落ち込み、先端突起部４０と端子移動規制溝２７とが嵌合する。これにより、先端突出部４０の係止部４２は、端子挿入開始側移動規制壁２１の係止面２９に係止する。このとき、特に図示しないが、電気接続部３７における先端突起部４０が設けられていない部分も第一側壁１３に設けられた端子挿入方向移動規制壁２１の内面３０ａと第二側壁１４に設けられた端子挿入方向移動規制壁２１の内面３０ｂとの間の空間（図３参照）に落ち込む。これにより、挿入された端子７の電気接続部３７が出力側接続部５の上面に載置された状態になる。以上により、端子７が収容空間１７に収容された状態になる。
【００６６】
しかる後、端子７と出力側接続部５とのボルト８による締結作業を行う。図７に図示するボルト８を、電気接続部３７のボルト挿通孔３９及び出力側接続部５のボルト挿通孔９に挿通する。そして、ボルト８とナット１９とを螺合する。これにより、電気接続部３７と出力側接続部５とのボルト８による締結が完了し、電気接続部３７と出力側接続部５とが電気的に接続される。以上により、本発明に係るヒューズユニット１と導電路６の端末に設けられた端子７との接続作業が完了する。
【００６７】
つぎに、導電路６に反力が生じることにより、端子７が出力側接続部５から離脱する場合の本発明に係るヒューズユニット１の作用について説明する。
【００６８】
図２に図示するように、径の太い導電路６を、直線状の状態（図２において仮想線で図示する導電路６参照）から屈曲させて端子７を収容空間１７に収容した場合、導電路６には、この導電路６を屈曲させる前の直線状の形状に復帰しようとする力（反力）が生じる。このため、図７に図示するように、端子７の電気接続部３７と出力側接続部５とのボルト８による締結がなされる前の状態において、端子７が出力側接続部５から図８に図示する矢印Ｄの指示する方向に離脱する。
【００６９】
ここで、本発明に係るヒューズユニット１によれば、図８に図示するように、端子７が出力側接続部５から離脱すると、端子７の曲げ部３６が高さ方向及び端子挿入開始側移動規制壁１６の高さ方向及び端子挿入開始側移動規制部２４に係止する。これにより、上方向（第一側壁１３、第二側壁１４及び第三側壁１５の高さ方向）及び端子７の挿入開始側（図８における後側）への端子７の移動を規制することができる。
【００７０】
また、第一側壁１３の内面２０ａと第二側壁１４の内面２０ｂとの間の幅は、端子７の先端突出部４０及び略中間突出部３５の、端子７の延在方向に直交する方向の幅と略同等に形成されているため、端子７が出力側接続部５から離脱しても、端子７の先端突出部４０と略中間突出部３５とが第一側壁１３の内面２０ａ及び第二側壁１４の内面２０ｂに当接する。これにより、左右方向（図８にける紙面の表面から裏面に抜ける方向）への端子７の移動を規制することができる。
【００７１】
また、図８に図示するように、端子７が出力側接続部５から離脱すると、端子７は、この端子７の挿入方向（図８における前側）への移動が可能になるが、電気接続部３７の先端部４１が第三側壁１５の内面２８に当接することにより、それ以上の上記挿入方向への移動を規制することができる。
【００７２】
また、図８に図示するように、端子７が出力側接続部５から離脱すると、端子７は、下方向への移動が可能になるが、電気接続部３７が端子挿入方向移動規制壁２１の上面４４又は出力側接続部５の上面に当接することにより、それ以上の下方向への移動を規制することができる。
【００７３】
以上、本発明に係るヒューズユニット１によれば、導電路６に反力が生じる場合であって、端子７の電気接続部３７と出力側接続部５とのボルト８による締結がなされる前の状態において、端子７の上記各方向への移動を規制することができる。
【００７４】
つぎに、導電路６に反力が生じてはいないが、端子７が収容空間１７に収容された状態（端子７の先端突起部４０と端子移動規制溝２７とが嵌合した状態）において、外部からの衝撃や振動等が加わった場合の本発明に係るヒューズユニット１の作用について説明する。
【００７５】
図７に図示するように、端子７が収容空間１７に収容された状態で且つ端子７の電気接続部３７と出力側接続部５とのボルト８による締結がなされる前の状態において、外部からの衝撃や振動等が加わることにより、端子７が挿入開始側（図７における後側）へ移動しようとすることが考えられる。ここで、端子７が挿入開始側（図７における後側）へ移動しようとしても、本発明に係るヒューズユニット１によれば、図７に図示するように、端子７の先端突起部４０の係止部４２と、端子挿入開始側移動規制壁２１の係止面２９とが当接しているため、上記挿入開始側への端子７の移動を規制することができる。
【００７６】
また、図７に図示するように、電気接続部３７の先端部４１と、第三側壁１５の内面２８とが当接しているため、外部からの衝撃や振動等が加わっても、端子７の挿入方向（図７における前側）への端子７の移動を規制することができる。
【００７７】
また、第一側壁１３の内面２０ａと第二側壁１４の内面２０ｂとの間の幅は、端子７の先端突出部４０及び略中間突出部３５の、端子７の延在方向に直交する方向の幅と略同等に形成されているため、端子７の先端突出部４０と略中間突出部３５とが第一側壁１３の内面２０ａ及び第二側壁１４の内面２０ｂに当接する。また、端子７の電気接続部３７の左側壁４０ａと、第一側壁１３の内面２０ａとが当接し、電気接続部３７の右側壁４０ｂと、第二側壁１４の内面２０ｂとが当接する。このため、外部からの衝撃や振動等が加わっても、左右方向（図７にける紙面の表面から裏面に抜ける方向）への端子７の移動を規制することができる。
【００７８】
また、図７において、外部からの衝撃や振動等が加わることにより、端子７が出力側接続部５から上方向（第一側壁１３、第二側壁１４及び第三側壁１５の高さ方向）に離脱しても、端子７が高さ方向及び端子挿入開始側移動規制壁１６に当接することにより、高さ方向への端子７の移動を規制することができる。また、このとき、端子７が挿入開始側（図７における後側）へ移動しようとしても、高さ方向及び端子挿入開始側移動規制壁１６により、上記挿入開始側への端子７の移動も規制することができる。
【００７９】
なお、図７において、端子７が出力側接続部５の上面に当接しているため、外部からの衝撃や振動等が加わっても、下方向への端子７の移動を規制することができる。
【００８０】
以上、本発明に係るヒューズユニット１によれば、導電路６に反力が生じてはいないが、端子７が収容空間１７に収容された状態で且つ端子７の電気接続部３７と出力側接続部５とのボルト８による締結がなされる前の状態において、外部からの衝撃や振動等が加わった場合であっても、端子７の上記各方向への移動を規制することができる。
【００８１】
つぎに、本発明に係るヒューズユニット１の効果について説明する。
以上、図１−図８を参照しながら説明してきたように、本発明によれば、端子７と出力側接続部５とをボルト８にて締結する前に、導電路６に生じた反力により導電路６が屈曲前の形状に復帰しようとして端子７が出力側接続部５から第一側壁１３、第二側壁１４及び第三側壁１５の高さ方向へ離脱しても、高さ方向及び端子挿入開始側移動規制壁１６に曲げ部３６が係止された端子７は、上記高さ方向及び端子７の挿入開始側（図７における後側）への端子７の移動が規制されるため、出力側接続部５からの端子７の脱落を防止することができる。したがって、導電路６に反力が生じているときの端子７と出力側接続部５とのボルト締結作業を容易にすることができるという効果を奏する。
【００８２】
また、本発明によれば、導電路６に反力が生じていない状態であって、端子７と出力側接続部５とをボルト８にて締結する前に、外部からの衝撃や振動等が加わった場合であっても、端子７の挿入開始側（図７における後側）、端子７の挿入方向及び端子７の挿入方向に直交する方向への端子７の移動が規制されるため、出力側接続部５からの端子７の脱落を防止することができる。したがって、導電路６に反力が生じていない状態であって、端子７と出力側接続部５とをボルト８にて締結する前に、外部からの衝撃や振動等が加わった場合であっても、端子７と出力側接続部５とのボルト締結作業を容易にすることができるという効果を奏する。
【００８３】
また、本発明によれば、上記効果に加え、つぎのような効果も奏する。すなわち、出力側接続部５の端子７の挿入方向両側に立設された側壁（第一側壁１３及び第二側壁１４）は、端子７の先端部４１の両側に隙間のないように配置されるため、本発明に係るヒューズユニット１における端子収容部１１は、例えば、上記側壁１３，１４を端子７の先端部４１の両側に隙間が生じるように配置した端子収容部１１と比較して、上記側壁１３，１４同士の間の幅を小さくすることができる。したがって、ヒューズユニット１全体をコンパクトに形成することができるという効果を奏する。
【００８４】
さらに、本発明によれば、上記効果に加え、つぎのような効果も奏する。すなわち、端子７は各端子挿入ガイド２２，２５に案内されて端子収容部１１への挿入を開始するため、端子収容部１１への端子７の挿入をスムーズに行うことができる。したがって、端子７と出力側接続部５との接続作業を、さらに容易にすることができるという効果を奏する。
【００８５】
この他、本発明は本発明の主旨を変えない範囲で種々変更実施可能なことは勿論である。
【符号の説明】
【００８６】
１…ヒューズユニット、  ２…バスバー、  ３…ハウジング、  ４…電源側接続部、  ５…出力側接続部、  ６…導電路、  ７…端子、  ８…ボルト、  ９，３９…ボルト挿通孔、  １０…ヒューズ部、  １１…端子収容部、  １２…底壁、  １３…第一側壁、  １４…第二側壁、  １５…第三側壁、  １６…高さ方向及び端子挿入開始側移動規制壁、  １７…収容空間、  １８…ナット埋設部、  １９…ナット、  ２０ａ，２０ｂ，２３，２８，３０ａ，３０ｂ…内面、  ２１…端子挿入開始側移動規制壁、  ２２，２５…端子挿入ガイド、  ２４…高さ方向及び端子挿入開始側移動規制部、  ２６…端子挿入口、  ２７…端子移動規制溝、  ２９…係止面、  ３１…導体、  ３２…絶縁被覆、  ３３…シース、  ３４…導体圧着部、  ３５…略中間突出部、  ３６…曲げ部、  ３７…電気接続部、  ３７ａ，４０ａ…左側部、  ３７ｂ，４０ｂ…右側部、  ３８…下面、  ４０…先端突出部（突出部）、  ４１…先端部、  ４２…係止部、  ４４…上面、  １００…バッテリー、  １０１…バッテリー筐体、  １０２…バッテリーポスト、  １０３…筐体本体、  １０４…蓋部材、  １０５…ポスト立設面、  １１０…バッテリー端子、  １１１…バッテリー端子本体、  １１２…締付手段、  １１３…環状部、  １１４…湾曲部、  １１５…バッテリーポスト挿入孔
【図１】
2018097947.tif 000003
【図２】
2018097947.tif 000004
【図３】
2018097947.tif 000005
【図４】
2018097947.tif 000006
【図５】
2018097947.tif 000007
【図６】
2018097947.tif 000008
【図７】
2018097947.tif 000009
【図８】
2018097947.tif 000010